(57)【特許請求の範囲】
【請求項１】
コンピュータを、
商品画像を含む商品情報を商品毎に表示する表示情報を取得する表示情報取得手段、
前記取得した表示情報の少なくとも一部を表示部に表示させる表示制御手段、
前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段、
として機能させることを特徴とする情報表示プログラム。
【請求項２】
コンピュータを、
商品画像を含む商品情報を商品毎に表示する表示情報を取得する表示情報取得手段、
前記取得した表示情報の少なくとも一部を表示部に表示させる表示制御手段、
前記表示された表示情報に含まれる商品の中で選択操作により選択された商品の商品画像と、前記表示情報に含まれるその他の商品画像との類似度に基づいて、前記選択された商品の商品画像と類似であると判定された商品画像に対応する商品情報の視認性を低下させる視認性低下手段、
として機能させることを特徴とする情報表示プログラム。
【請求項３】
請求項１に記載の情報表示プログラムであって、
前記視認性低下手段としての前記コンピュータを、前記商品情報に含まれる一部の商品情報のみ視認性を低下させるように機能させることを特徴とする情報表示プログラム。
【請求項４】
請求項１又は３に記載の情報表示プログラムであって、
コンピュータを、
商品を検索するための検索条件を受け付ける検索条件受付手段、
前記受け付けられた検索条件を示す検索条件情報を、情報提供サーバに対して送信する検索条件送信手段、
として更に機能させ、
前記表示情報取得手段としての前記コンピュータを、前記情報提供サーバから、前記検索条件に基づいて検索された商品の前記表示情報と、当該表示情報が表示する商品画像間の類似度を示す類似度情報とを取得するように機能させ、
前記視認性低下手段としての前記コンピュータを、前記取得された類似度情報の示す類似度に基づいて前記選択された商品の商品画像と非類似であると判定された商品画像に対応する商品情報の視認性を低下させるように機能させることを特徴とする情報表示プログラム。
【請求項５】
請求項１又は３に記載の情報表示プログラムであって、
コンピュータを、
商品を検索するための検索条件を受け付ける検索条件受付手段、
前記受け付けられた検索条件を示す検索条件情報を、情報提供サーバに対して送信する検索条件送信手段、
として更に機能させ、
前記表示情報取得手段としての前記コンピュータを、前記情報提供サーバから、前記検索条件に基づいて検索された商品の前記表示情報を取得するように機能させ、
前記コンピュータを、
前記選択された商品以外の商品に対応する商品画像であって、前記表示情報に含まれていない商品画像を、前記情報提供サーバから取得する商品画像取得手段、
として更に機能させ、
前記視認性低下手段としての前記コンピュータを、前記選択された商品の商品画像と、前記商品画像取得手段により取得された商品画像との類似度に基づいて、前記選択された商品の商品画像と非類似であると判定された商品画像に対応する商品情報の視認性を低下させるように機能させることを特徴とする情報表示プログラム。
【請求項６】
コンピュータを、
商品画像を含む商品情報を商品毎に表示する表示情報を取得する表示情報取得手段、
前記取得した表示情報の少なくとも一部を表示部に表示させる表示制御手段、
前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段、
として機能させる情報表示プログラムを記録したコンピュータ読み取り可能な記録媒体。
【請求項７】
コンピュータにより実行される情報表示方法であって、
商品画像を含む商品情報を商品毎に表示する表示情報を取得するステップと、
前記取得した表示情報の少なくとも一部を表示部に表示させるステップと、
前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させるステップと、
を含むことを特徴とする情報表示方法。
【請求項８】
商品画像を含む商品情報を商品毎に表示する表示情報を取得する表示情報取得手段と、
前記取得した表示情報の少なくとも一部を表示部に表示させる表示制御手段と、
前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段と、
を備えることを特徴とする情報表示装置。
【請求項９】
ネットワークを介して接続された情報表示装置と情報提供サーバとを含む情報提供システムであって、
前記情報表示装置は、
商品を検索するための検索条件を受け付ける検索条件受付手段と、
前記受け付けられた検索条件を示す検索条件情報を、情報提供サーバに対して送信する検索条件送信手段と、
前記情報提供サーバから、商品画像を含む商品情報を前記検索条件を満たす商品毎に表示する表示情報を取得する表示情報取得手段と、
前記取得した表示情報の少なくとも一部を表示部に表示させる表示制御手段と、
前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段と、
を備え、
前記情報提供サーバは、
前記検索条件送信手段により送信された検索条件情報に基づいて、前記表示情報を生成する表示情報生成手段と、
前記生成された表示情報を前記情報表示装置に送信する表示情報送信手段と、
を備えることを特徴とする情報提供システム。
【発明の詳細な説明】
【技術分野】
【０００１】
本発明は、情報表示プログラム、情報表示プログラムを記録したコンピュータ読み取り可能な記録媒体、情報表示方法、情報表示装置及び情報提供システムの技術分野に関する。
【背景技術】
【０００２】
従来、インターネット上に存在するさまざまな情報に対してキーワードなどを予め設定し、検索のために入力されるキーワードと前記設定されたキーワードに基づいて前記対応する情報を抽出して提供する検索サイトが知られている。このような検索サイトによれば、ユーザはインターネット上に存在するさまざまな情報を検索することが可能であり、興味ある情報に関するキーワードを入力して検索することによって入力したキーワードに対応した情報を取得することができる。
【０００３】
一方、特許文献１には、端末装置から商品を検索するための検索キーワードを受信し、検索キーワードに基づいて商品を検索し、検索結果をユーザの指定した優先順位（例えば、価格順）に基づいて表示させる表示データを端末装置に送信する技術が開示される。このような技術は、ユーザが大量の検索結果の中から最安値の商品を特定する際などに有用である。
【先行技術文献】
【特許文献】
【０００４】
【特許文献１】特開２００２−３１８８１４号公報
【発明の概要】
【発明が解決しようとする課題】
【０００５】
しかしながら、上述の技術では、ユーザが興味のある商品に関する情報（例えば、価格情報）を取得しようとする場合に、当該商品を示す検索キーワード（例えば、商品の名称や型番）を指定すると、当該商品のみならず当該商品に関連する商品（付属品、消耗品、関連商品等）も検索結果として出力されてしまう。したがって、ユーザは興味のある商品に関する情報を一つ一つ確認しなければならず、利便性に欠ける場合があった。
【０００６】
本発明は以上の点に鑑みてなされたものであり、ユーザが興味のある商品に関する情報を容易に確認することのできる情報表示プログラム、情報表示プログラムを記録したコンピュータ読み取り可能な記録媒体、情報表示方法、情報表示装置及び情報提供システムを提供することを目的とする。
【課題を解決するための手段】
【０００７】
上記課題を解決するために、請求項１に記載の発明は、コンピュータを、商品画像を含む商品情報を商品毎に表示する表示情報を取得する表示情報取得手段、前記取得した表示情報の少なくとも一部を表示部に表示させる表示制御手段、前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段、として機能させることを特徴とする情報表示プログラムである。
【０００８】
この発明によれば、ユーザにより選択された商品に対応する商品画像と非類似の商品画像に対応する商品情報の視認性が低下する。したがって、ユーザは興味のある商品に関する情報を容易に確認することができる。
【００１１】
請求項２に記載の発明は、コンピュータを、商品画像を含む商品情報を商品毎に表示する表示情報を取得する表示情報取得手段、前記取得した表示情報の少なくとも一部を表示部に表示させる表示制御手段、前記表示された表示情報に含まれる商品の中で選択操作により選択された商品の商品画像と、前記表示情報に含まれるその他の商品画像との類似度に基づいて、前記選択された商品の商品画像と類似であると判定された商品画像に対応する商品情報の視認性を低下させる視認性低下手段、として機能させることを特徴とする情報表示プログラムである。
【００１２】
この発明によれば、表示情報により表示される商品のうち特定の商品以外の様々な商品にユーザが興味がある場合に、ユーザは当該特定の商品を選択することにより、当該特定の商品に対応する商品情報の視認性を低下させることができ、当該特定の商品以外の様々な商品の商品情報を容易に確認することができる。
【００１３】
請求項３に記載の発明は、請求項１に記載の情報表示プログラムであって、前記視認性低下手段としての前記コンピュータを、前記商品情報に含まれる一部の商品情報のみ視認性を低下させるように機能させることを特徴とする。
【００１４】
この発明によれば、ユーザは視認性が低下されていない部分の商品情報を把握することができる。
【００１５】
請求項４に記載の発明は、請求項１又は３に記載の情報表示プログラムであって、コンピュータを、商品を検索するための検索条件を受け付ける検索条件受付手段、前記受け付けられた検索条件を示す検索条件情報を、情報提供サーバに対して送信する検索条件送信手段、として更に機能させ、前記表示情報取得手段としての前記コンピュータを、前記情報提供サーバから、前記検索条件に基づいて検索された商品の前記表示情報と、当該表示情報が表示する商品画像間の類似度を示す類似度情報とを取得するように機能させ、前記視認性低下手段としての前記コンピュータを、前記取得された類似度情報の示す類似度に基づいて前記選択された商品の商品画像と非類似であると判定された商品画像に対応する商品情報の視認性を低下させるように機能させることを特徴とする。
【００１６】
この発明によれば、選択操作により選択された商品の商品画像と、表示情報に含まれるその他の商品画像との類似度を算出する処理に対するコンピュータの処理負担を軽減することができる。
【００１７】
請求項５に記載の発明は、請求項１又は３に記載の情報表示プログラムであって、コンピュータを、商品を検索するための検索条件を受け付ける検索条件受付手段、前記受け付けられた検索条件を示す検索条件情報を、情報提供サーバに対して送信する検索条件送信手段、として更に機能させ、前記表示情報取得手段としての前記コンピュータを、前記情報提供サーバから、前記検索条件に基づいて検索された商品の前記表示情報を取得するように機能させ、前記コンピュータを、前記選択された商品以外の商品に対応する商品画像であって、前記表示情報に含まれていない商品画像を、前記情報提供サーバから取得する商品画像取得手段、として更に機能させ、前記視認性低下手段としての前記コンピュータを、前記選択された商品の商品画像と、前記商品画像取得手段により取得された商品画像との類似度に基づいて、前記選択された商品の商品画像と非類似であると判定された商品画像に対応する商品情報の視認性を低下させるように機能させることを特徴とする。
【００１８】
この発明によれば、表示情報に含まれる商品と対応付けられてはいるが表示情報に表示されていない商品画像についても、ユーザにより選択された商品画像との類似度算出と、非類似であるかの判定が行われる。したがって、ユーザに、興味のある商品に関する情報をより高い精度で確認させることができる。
【００１９】
請求項６に記載の発明は、コンピュータを、商品画像を含む商品情報を商品毎に表示する表示情報を取得する表示情報取得手段、前記取得した表示情報の少なくとも一部を表示部に表示させる表示制御手段、前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段、として機能させる情報表示プログラムを記録したコンピュータ読み取り可能な記録媒体である。
【００２０】
請求項７に記載の発明は、コンピュータにより実行される情報表示方法であって、商品画像を含む商品情報を商品毎に表示する表示情報を取得するステップと、前記取得した表示情報の少なくとも一部を表示部に表示させるステップと、前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させるステップと、を含むことを特徴とする情報表示方法である。
【００２１】
請求項８に記載の発明は、商品画像を含む商品情報を商品毎に表示する表示情報を取得する表示情報取得手段と、前記取得した表示情報の少なくとも一部を表示部に表示させる表示制御手段と、前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段と、を備えることを特徴とする情報表示装置である。
【００２２】
請求項９に記載の発明は、ネットワークを介して接続された情報表示装置と情報提供サーバとを含む情報提供システムであって、前記情報表示装置は、商品を検索するための検索条件を受け付ける検索条件受付手段と、前記受け付けられた検索条件を示す検索条件情報を、情報提供サーバに対して送信する検索条件送信手段と、前記情報提供サーバから、商品画像を含む商品情報を前記検索条件を満たす商品毎に表示する表示情報を取得する表示情報取得手段と、前記取得した表示情報の少なくとも一部を表示部に表示させる表示制御手段と、前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段と、を備え、前記情報提供サーバは、前記検索条件送信手段により送信された検索条件情報に基づいて、前記表示情報を生成する表示情報生成手段と、前記生成された表示情報を前記情報表示装置に送信する表示情報送信手段と、を備えることを特徴とする情報提供システムである。
【発明の効果】
【００２３】
本発明によれば、ユーザにより選択された商品に対応する商品画像と非類似の商品画像に対応する商品情報の視認性が低下する。したがって、ユーザは興味のある商品に関する情報を容易に確認することができる。
【図面の簡単な説明】
【００２４】
【図１】ショッピングシステムＳの概要構成の一例を示す図である。
【図２】ショッピングサーバ２の概要構成例を示すブロック図である。
【図３】各データベースに登録される情報の構成例を示す図である。
【図４】ショッピングシステムＳの情報提供処理時の動作例を示すシーケンス図である。
【図５】検索結果ページの表示例を示す図である。
【図６】検索結果ページの表示例を示す図である。
【発明を実施するための形態】
【００２５】
以下、図面を参照して本発明の実施形態について詳細に説明する。なお、以下に説明する実施形態は、ショッピングシステムについて本発明を適用した場合の実施形態である。
【００２６】
［１．ショッピングシステムの構成及び機能概要］
先ず、本実施形態に係るショッピングシステムＳの構成及び機能概要について、図１を用いて説明する。
【００２７】
図１は、本実施形態に係るショッピングシステムＳの概要構成の一例を示す図である。
【００２８】
図１に示すように、ショッピングシステムＳ（「情報提供システム」の一例）は、複数のユーザ端末１−ｋ（ｋ＝１，２，３・・・ｎ）（「情報表示装置」の一例）と、ショッピングサーバ２（「情報提供サーバ」の一例）と、を含んで構成されている。ユーザ端末１−ｋと、ショッピングサーバ２とは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２９】
ショッピングサーバ２は、複数の店舗が参加するショッピングモールサイトを提供するサーバであって、例えば、Ｗｅｂサーバ、アプリサーバ、及びデータベースサーバ等の機能を有する１又は複数のサーバコンピュータからなる。また、ショッピングサーバ２は、ユーザがユーザ端末１−ｋにて選択した商品画像と同一又は類似する商品画像を検索し、検索した商品画像に対応する商品情報に基づいて、商品の価格が最も低い店舗に関する情報をユーザに提供する。
【００３０】
図２は、ショッピングサーバ２の概要構成例を示すブロック図である。
【００３１】
図２に示すように、ショッピングサーバ２は、大別して、通信部２１、記憶部２２、及びシステム制御部２３から構成されている。
【００３２】
通信部２１は、ネットワークＮＷに接続して、ユーザ端末１−ｋ等との通信状態を制御する。
【００３３】
記憶部２２は、例えばハードディスクドライブやフラッシュメモリ等の記憶媒体により構成されており、ＯＳ（Operating System）及びサーバプログラム（情報提供処理プログラム等）を記憶している。また、ショッピングモールサイトにおけるＷｅｂページの各種素材データ等の各種データを記憶している。
【００３４】
また、記憶部２２には、店舗データベース（ＤＢ（database））２２１、商品ＤＢ２２２及び画像ＤＢ２２３等が構築されている。なお、記憶部２２は、本発明の記憶手段として機能する。
【００３５】
図３は、各データベースに登録される情報の構成例を示す図である。
【００３６】
図３（Ａ）に示す店舗ＤＢ２２１には、ショッピングモールサイトにおいて商品を販売する店舗に関する店舗情報が店舗毎に店舗ＩＤと対応付けられて登録されている。店舗情報としては、例えば、店舗の名称、住所、電話番号、メールアドレス、店舗の説明情報等が登録されている。
【００３７】
図３（Ｂ）に示す商品ＤＢ２２２には、ショッピングモールサイトＳにおいて販売されている商品に関する商品情報が、商品を販売する店舗の店舗ＩＤ及び商品ＩＤと対応付けられて登録されている。商品情報としては、商品名、商品価格、メーカー名、商品の説明情報、商品の画像データに対応する画像ＩＤ等が登録されている。また、画像ＩＤは、画像ＤＢ２２３に登録されている画像データに対応しており、少なくとも一つ以上登録されている（画像ＩＤ（０）〜画像ＩＤ（ｋ））。その中でも画像ＩＤ（０）は、その商品の代表画像データに対応している。なお、異なる店舗で販売される同一商品について同一の画像データが用いられる場合にも、それぞれ店舗毎に異なる画像ＩＤが割り当てられている（つまり、画像ＩＤから店舗を特定することができるようになっている）。
【００３８】
図３（Ｃ）に示す画像ＤＢ２２３には、上記画像ＩＤに対応する画像データが登録されている。なお、画像ＩＤ（０）に対応している代表画像データは、後述する検索結果ページの商品一覧３０１に表示される商品画像３１１を表示するための画像データである。
【００３９】
また、図示しないが、記憶部２２には、ユーザの指定したキーワードに基づいて商品を検索する際に用いられるキーワード検索用ＤＢが構築されている。キーワード検索用ＤＢを用いた商品検索については公知のキーワード検索技術により行われるので、ここでの詳細な説明は省略する。
【００４０】
システム制御部２３は、ＣＰＵ（Central Processing Unit）２３ａ、ＲＯＭ（Read Only Memory）２３ｂ、ＲＡＭ（Random Access Memory）２３ｃ等により構成されている。そして、システム制御部２３は、ＣＰＵ２３ａが、ＲＯＭ２３ｂや記憶部２２に記憶されたサーバプログラムを読み出し実行することにより、本発明の表示情報生成手段、及び表示情報送信手段等として機能し、後述する処理を行う。
【００４１】
一方、ユーザ端末１−ｋは、図示しないが、例えば、ＣＰＵ、ＲＡＭ、ＲＯＭ等を有するシステム制御部と、例えばハードディスクドライブやフラッシュメモリ等の記憶媒体で構成される記憶部と、ショッピングサーバ２等との間で通信を行うための通信部と、ユーザにより操作される操作部と、ショッピングサーバ２から提供された各種画面（例えば、Ｗｅｂページ）を表示する表示部と、を備えている。ユーザ端末１−ｋには、例えば、ＰＣ（Personal Computer）、携帯電話機、ＰＤＡ等が適用できる。
【００４２】
なお、ユーザ端末１−ｋの記憶部は情報表示プログラム（本発明の「情報表示プログラム」の一例）等を記憶しており、ユーザ端末１−ｋのシステム制御部は、本発明の表示情報取得手段、表示制御手段、選択操作検出手段、類似度算出手段、判定手段、視認性低下手段、検索条件受付手段、検索条件送信手段及び商品画像取得手段等として機能し、後述する処理を行う。なお、ユーザ端末１−ｋのシステム制御部は、情報表示プログラムが記録された記録媒体（例えば、ＣＤ（Compact Disc）やＵＳＢ（Universal Serial Bus）メモリ等）から情報表示プログラムを読み取り、記憶部に記憶させる。或いは、情報表示プログラムを配布しているサーバからネットワークＮＷを介して当該情報表示プログラムを受信し、記憶部に記憶させる。
【００４３】
［２．ショッピングシステムＳにおける情報提供処理］
次に、ショッピングシステムＳにおける情報提供処理について、図４を用いて説明する。
【００４４】
図４は、ショッピングシステムＳの情報提供処理時の動作例を示すシーケンス図である。なお、図４に示す処理は、ユーザ端末１−ｋにおいてＷｅｂブラウザが起動され、ショッピングモールサイトの商品検索画面が表示部に表示されている状態から開始される。商品検索画面は、商品を検索するための検索キーワード等の検索条件を入力することができるようになっている。
【００４５】
図４において、ユーザ端末１−ｋのシステム制御部は、商品検索画面において商品を検索するための検索条件の入力を受け付ける（ステップＳ１１）。ユーザ端末１−ｋのシステム制御部は、検索条件の入力が完了したと判定すると、入力された検索条件を示す検索条件情報をショッピングサーバ２に対して送信する（ステップＳ１２）。
【００４６】
ショッピングサーバ２のシステム制御部２３は、検索条件情報を受信すると検索条件を満たす商品を検索する検索処理を行う（ステップＳ１３）。この検索処理は、上述したようにキーワード検索用ＤＢを用いた公知のキーワード検索技術により行われる。例えば、シェーバーの型番「ＳＨ−ＡＡＡＡ」が検索キーワードとして入力された場合には、型番が「ＳＨ−ＡＡＡＡ」であるシェーバーだけではなく、このシェーバーで用いられる替え刃やオイル等の関連商品も検索結果として得られる。なお、この検索処理では、同一商品であっても販売している店舗が異なる場合には、別個に検索される。例えば、同一商品が店舗Ａ、店舗Ｂ、店舗Ｃで販売されている場合には、その商品は３件検索されることとなる。
【００４７】
次いで、ショッピングサーバ２のシステム制御部２３は、検索結果を表示させるための検索結果ページ（「検索結果ページ」の一例）をユーザ端末１−ｋに送信する（ステップＳ１４）。これに対して、ユーザ端末１−ｋのシステム制御部は、受信した検索結果ページを表示部に表示させる（ステップＳ１５）。
【００４８】
ここで、図５を用いて、検索結果ページについて説明する。図５は、検索結果ページの表示例を示す図である。図５に示すように、検索結果ページには、商品一覧３０１、ソート条件リンク群３０２等が表示される。商品一覧３０１は、検索条件に基づいて検索された商品の一覧が表示されている。具体的には、商品一覧３０１は、検索されたそれぞれの商品に関する個別商品情報を表示する個別商品情報表示欄３１０（個別商品情報表示欄３１０ａ〜個別商品情報表示欄３１０ｆ、・・・）から構成される。個別商品情報表示欄３１０には、個別商品情報として商品画像３１１、メーカー名３１２、商品名３１３、商品説明３１４、商品価格３１５、及び店舗名３１６が表示される。これらの個別商品情報は、それぞれハイパーリンクになっており、ユーザにクリックされることにより、該当商品に関する詳細な情報を表示する個別商品ページ（図示しない）に遷移するようになっている。
【００４９】
ソート条件リンク群３０２は、ソート条件をユーザが選択するためのリンクを複数含む。ソート条件とは、商品一覧３０１に商品を表示させる順番をソートするための条件を示す。ソート条件としては、例えば、商品の価格が安い順、商品の価格が高い順、新着順、感想の件数が多い順、販売する店舗の評価が高い順がある。ソート条件リンク群３０２の中の何れかのリンクがユーザにより選択されると、選択されたリンクに対応するソート条件に従って商品一覧３０１に表示される商品が並べ換えられる。
【００５０】
ユーザ端末１−ｋのシステム制御部は、検索結果ページを表示させている際に、ユーザにより個別商品ページ表示操作（個別商品情報表示欄３１０内の何れかのリンクをクリックする操作）が行われるのを監視している（ステップＳ１６：ＮＯ）。ユーザ端末１−ｋのシステム制御部は、個別商品ページ表示操作が行われたと判定すると（ステップＳ１６：ＹＥＳ）、操作対象となった商品を識別するための操作商品情報を含む個別商品ページリクエストをショッピングサーバ２に対して送信する（ステップＳ１７）。
【００５１】
ショッピングサーバ２のシステム制御部２３は、個別商品ページリクエストを受信すると、個別商品ページをユーザ端末１−ｋに対して送信する。これに対して、ユーザ端末１−ｋのシステム制御部は、個別商品ページを表示部に表示させる（ステップＳ１９）。個別商品ページには、代表画像データ以外の画像データや、商品の詳細情報や、店舗に関する詳細情報（支払方法、発送方法等）などが表示される。
【００５２】
また、ユーザ端末１−ｋのシステム制御部は、ステップＳ１７及びステップＳ１９の処理を行う一方、類似度算出処理を行う（ステップＳ２０）。類似度算出処理は、ステップＳ１５の処理で表示した検索結果ページに含まれる各商品画像３１１（代表画像データ）と、個別商品ページ表示操作の対象となった商品に対応する商品画像３１１（代表画像データ）の類似度を算出する処理である。類似度算出処理は、例えば公知のオブジェクト認識アルゴリズムであるＳＩＦＴ（Scale Invariant Feature Transform）やＳＵＲＦ（Speeded Up Robust Features）等を用いて行われ、類似度が数値が算出されるようになっている。なお、ＳＩＦＴやＳＵＲＦについては公知の技術であるので、詳細な説明を省略する。
【００５３】
次いで、ユーザ端末１−ｋのシステム制御部は、非類似画像判定処理を行う（ステップＳ２１）。具体的には、ユーザ端末１−ｋのシステム制御部は、類似度算出処理（ステップＳ２０）により算出した類似度と閾値とを比較することにより、個別商品ページ表示操作により選択された商品の商品画像３１１（代表画像データ）と非類似である商品画像３１１（代表画像データ）を判定する。例えば、類似度が閾値以上の場合には類似と判定し、類似度が閾値未満の場合には非類似と判定する。なお、同一の画像データ同士の類似度は極めて高い数値となるので、類似と判定される（つまり、同一の画像データである場合にも類似と判定される）。
【００５４】
なお、非類似画像判定処理（ステップＳ２１）において、ユーザ端末１−ｋのシステム制御部は、類似度と閾値との比較により非類似画像を判定する代わりに、類似度が高い方から所定数（例えば、５つ）までの商品画像３１１を類似である、それ以外は非類似であると判定する構成としてもよい。また、類似度と閾値との比較により非類似画像が一つもないと判定した場合にのみ、当該構成とすることとしてもよい。
【００５５】
次いで、ユーザ端末１−ｋのシステム制御部は、非表示処理を行う（ステップＳ２２）。具体的には、非類似画像判定処理（ステップＳ２１）により、個別商品ページ表示操作により選択された商品の商品画像３１１（代表画像データ）と非類似であると判定した商品画像３１１（代表画像データ）に対応する個別商品情報表示欄３１０に対して非表示処理を行う。非表示処理とは、例えば、(i)個別商品情報表示欄３１０全体を非表示としたり、(ii)商品画像３１１のみを非表示としたり、(iii)商品画像３１１のみが表示されるようにその他の個別商品情報を非表示としたりする処理である。また、(i)個別商品情報表示欄３１０自体を非表示とする場合には、非表示としない個別商品情報表示欄３１０を詰めて表示することとしてもよい。また、非表示処理を行う場合、非表示処理を施した部分をユーザが閲覧できるように非表示解除ボタンを検索結果ページに設け、該非表示解除ボタンがクリックされた際には、非表示を解除するように構成してもよい。
【００５６】
また、ユーザ端末１−ｋのシステム制御部は、個別商品ページを表示させている際に、ユーザにより検索結果ページ表示操作（例えば、個別商品ページ内に設けられた検索結果ページに戻るためのボタンやブラウザ固有の前の表示画面に戻るためのボタンをクリックする操作）が行われるのを監視している（ステップＳ２３：ＮＯ）。ユーザ端末１−ｋのシステム制御部は、検索結果ページ表示操作が行われたと判定すると（ステップＳ２３：ＹＥＳ）、ステップＳ２２において非表示処理を施した検索結果ページを表示部に表示させる（ステップＳ２４）。なお、図６は、個別商品情報表示欄３１０ａ、個別商品情報表示欄３１０ｄ及び個別商品情報表示欄３１０ｅに対して非表示処理を行うとともに、非表示解除ボタン３０３が設けた際の検索結果ページの表示例を示す図である。
【００５７】
以上説明したように、本実施形態におけるユーザ端末１−ｋのシステム制御部は、商品画像３１１と商品情報（メーカー名３１２、商品名３１３、商品説明３１４、商品価格３１５、及び店舗名３１６）を表示する個別商品情報表示欄３１０を含む検索結果ページを表示部に表示させ、個別商品ページ表示操作（「選択操作」の一例）を検出する。また、ユーザ端末１−ｋのシステム制御部は、個別商品ページ表示操作により選択された商品の商品画像３１１と、検索結果ページに含まれるその他の商品画像３１１との類似度を算出し、算出した類似度と閾値とを比較することにより、個別商品ページ表示操作により選択された商品の商品画像３１１と非類似である商品画像３１１を判定する。そして、ユーザ端末１−ｋのシステム制御部は、判定により非類似と判定した商品画像３１１に対応する個別商品情報表示欄３１０（「商品情報」の一例）に対して、視認性を低下させるために非表示処理を行う。
【００５８】
このユーザ端末１−ｋによれば、ユーザにより選択された商品に対応する商品画像３１１と非類似の商品画像３１１に対応する個別商品情報表示欄３１０の視認性が低下する。したがって、ユーザは興味のある商品に関する情報を容易に確認することができる。例えば、検索結果ページに、ユーザが興味のある商品以外の商品が含まれる場合であっても、ユーザは興味のある商品を選択することにより、興味のない商品を非表示とし、興味のある商品に関する情報を容易に確認することができる。
【００５９】
また、ユーザ端末１−ｋのシステム制御部が、個別商品情報表示欄３１０の一部のみ視認性を低下させるために非表示とした場合には、ユーザは視認性が低下されていない部分の商品情報を把握することができる。
【００６０】
［３．変形例］
類似度算出処理（ステップＳ２０）において、ユーザ端末１−ｋのシステム制御部が、個別商品ページ表示操作（「選択操作」の一例）により選択された商品の商品画像３１１と、検索結果ページに含まれるその他の商品画像３１１との類似度を算出する代わりに、予めショッピングサーバ２において検索結果ページに含まれる各商品画像間の類似度を算出させ、算出された類似度を示す類似度情報を、ショッピングサーバ２から検索結果ページと共に受信する。そして、ユーザ端末１−ｋのシステム制御部は、受信した類似度情報の示す類似度と閾値を比較することにより、個別商品ページ表示操作により選択された商品の商品画像３１１と非類似である商品画像３１１を判定する構成としてもよい。当該構成とした場合、類似度算出処理（ステップＳ２０）に対するユーザ端末１−ｋのシステム制御部の処理負担を軽減することができる。
【００６１】
なお、ショッピングサーバ２において、更に、上記算出した類似度と閾値とを比較させることにより、検索結果ページに含まれる何れの商品画像３１１が何れの商品画像３１１と非類似であるかを判定させる。そして、ユーザ端末１−ｋのシステム制御部は、当該判定結果を示す非類似情報を受信し、当該非類似情報に基づいて、個別商品ページ表示操作により選択された商品の商品画像３１１と、非類似である画像情報３１１に対応する個別商品情報表示欄３１０に対して、非表示処理を行う構成としてもよい。当該構成とした場合、類似度算出処理（ステップＳ２０）及び非類似画像判定処理（ステップＳ２１）に対するユーザ端末１−ｋのシステム制御部の処理負担を軽減することができる。
【００６２】
また、類似度算出処理（ステップＳ２０）において、ユーザ端末１−ｋのシステム制御部が、個別商品ページ表示操作（「選択操作」の一例）により選択された商品の商品画像３１１と、検索結果ページに含まれるその他の商品画像３１１との類似度を算出するのではなく、ユーザ端末１−ｋのシステム制御部（「類似度取得手段」の一例）が、個別商品ページ表示操作により選択された商品の商品画像３１１と、検索結果ページに含まれるその他の商品画像３１１との類似度の算出要求をショッピングサーバ２（「類似度算出装置」の一例）に送信し、ショッピングサーバ２のシステム制御部２３により算出された類似度を取得（受信）するように構成してもよい。当該構成とした場合、類似度算出処理（ステップＳ２０）に対するユーザ端末１−ｋのシステム制御部の処理負担を軽減することができる。
【００６３】
また、ユーザ端末１−ｋのシステム制御部が、類似度算出処理（ステップＳ２０）を行うにあたり、検索結果ページにおいて個別商品ページ表示操作により選択された商品以外の商品に対応する画像データであって、検索結果ページに表示されていない画像データをショッピングサーバ２から受信し、個別商品ページ表示操作により選択された商品の商品画像３１１と、受信した各画像データとを更に比較することとしてもよい。この場合、検索結果ページに含まれる商品と対応付けられてはいるが検索結果ページに表示されていない画像データについても、ユーザにより選択された商品画像３１１との類似度算出処理と、非類似画像判定処理が行われる。したがって、ユーザに、興味のある商品に関する情報をより高い精度で確認させることができる。
【００６４】
また、ユーザ端末１−ｋのシステム制御部が、非表示処理（ステップＳ２２）の代わりに、視認性低下処理（「視認性低下処理」の一例）を行うこととしてもよい。視認性低下処理とは、対象とする個別商品情報表示欄３１０全体或いはその一部を視認しづらくするための処理であって、例えば、個別商品情報表示欄３１０全体或いはその一部について、マスク処理を施したり、文字及び商品画像の大きさを小さくしたり、文字及び商品画像の色を薄くしたりする処理である。
【００６５】
ところで、上記実施形態におけるユーザ端末１−ｋのシステム制御部は、個別商品ページ表示操作により選択された商品に対応する商品画像３１１と非類似の商品画像３１１に対応する個別商品情報表示欄３１０に対して非表示処理（「視認性低下処理」の一例）を行うが、これに変えて、ユーザ端末１−ｋのシステム制御部が、個別商品ページ表示操作の操作対象となった商品に対応する商品画像３１１と類似（同一を含む）の商品画像３１１に対応する個別商品情報表示欄３１０或いはその一部に対して非表示処理（「視認性低下処理」の一例）を行う構成とする。この構成とした場合、検索結果ページにより表示される商品のうち特定の商品以外の様々な商品にユーザが興味がある場合に、ユーザは当該特定の商品を選択することにより、当該特定の商品に対応する検索結果ページを非表示とさせることができ、当該特定の商品以外の様々な商品の商品情報を容易に確認することができる。例えば、ユーザがあるバイクの複数種類の部品に興味があって、検索条件として当該バイクの商品名（又は型名）を入力したとする。すると、検索結果ページには、当該バイク本体に対応する個別商品情報表示欄３１０と、複数種類の部品にそれぞれ対応する個別商品情報表示欄３１０が表示される。このとき、ユーザは、バイク本体に対応するハイパーリンクを選択することにより、複数種類の部品にそれぞれ対応する個別商品情報表示欄３１０のみを表示させることができる。
【００６６】
なお、上述した各変形例は、適宜、組み合わせることができる。
【符号の説明】
【００６７】
１−ｋ  ユーザ端末
２  ショッピングサーバ
２１  通信部
２２  記憶部
２２１  店舗ＤＢ
２２２  商品ＤＢ
２２３  画像ＤＢ
２３  システム制御部
ＮＷ  ネットワーク
Ｓ  ショッピングシステム
【図１】
0005479230.tif 000002
【図２】
0005479230.tif 000003
【図３】
0005479230.tif 000004
【図４】
0005479230.tif 000005
【図５】
0005479230.tif 000006
【図６】
0005479230.tif 000007